(57)【要約】【課題】版図と時間を交互に調べる作業の煩雑さの解決と、地図を表示しないで版図の造形物のみで見るという簡潔明瞭さと、歴史地図を物体的に把握するという方法の実現のために、造形物のみで表す版図の歴史地図を提供する。【解決手段】縦軸と横軸と時間軸の合計３軸で表される造形物で、造形物の時間軸上の両端は版図の形の線又は面であり、各版図は版図の縦軸と横軸と時間軸の位置の合計３軸上の該当する位置に配置され、時間軸上で隣り合う版図の形の線又は面の境界線を繋いで造形された造形物で、造形物の縦軸上の両端のうち片方は期間中の版図の縦軸の最小値で、もう片方は最大値で、造形物の横軸上の両端のうち片方は期間中の版図の横軸の最小値で、もう片方は最大値で、造形物の時間軸上の両端の版図のうち片方は期間のうち最初の時間の版図で、もう片方は最後の時間の版図であり、造形物のみで版図の歴史を表現する。【選択図】図１
2014038296.tif 000002
【特許請求の範囲】
【請求項１】
縦軸と横軸そして時間軸の合計３軸で表される造形物で、造形物の時間軸上の両端の形は線又は面による版図であり、各版図は版図の縦の位置に該当する縦軸上の位置と、版図の横の位置に該当する横軸上の位置と、版図の時間に該当する時間軸上の位置の合計３軸上の該当する位置に配置されて、時間軸上で隣り合う版図の形の線又は面の境界線を繋いで造形された造形物であり、造形物の縦軸上の両端のうち片方は期間中の版図の縦軸の最小値で、もう片方は期間中の版図の縦軸の最大値で、造形物の横軸上の両端のうち片方は期間中の版図の横軸の最小値で、もう片方は期間中の版図の横軸の最大値で、造形物の時間軸上の両端の版図のうち片方は期間のうち最初の時間の版図で、もう片方は期間のうち最後の時間の版図である、造形物のみで版図の歴史を表現することを特徴とする、造形物のみで表す版図の歴史地図。
【請求項２】
前記期間のうち最初の時間の版図と最後の時間の版図以外の、期間中の版図が一つ又は複数ある、請求項１に記載の造形物のみで表す版図の歴史地図。
【請求項３】
前記期間のうち最初の時間は建国の時間である、又は、前記期間のうち最後の時間は滅亡の時間である、請求項１又は請求項２に記載の造形物のみで表す版図の歴史地図。
【請求項４】
前記造形物のみで表す版図の歴史地図は、条約を締結した複数国についての造形物のみで表す版図の歴史地図である、請求項１又は請求項２に記載の造形物のみで表す版図の歴史地図。
【請求項５】
前記造形物のみで表す版図の歴史地図は、世界史における複数国についての造形物のみで表す版図の歴史地図である、請求項３に記載の造形物のみで表す版図の歴史地図。
【発明の詳細な説明】
【技術分野】
【０００１】
本発明は、版図の歴史地図に関し、特に版図の形と存続期間を同時に表示できる、造形物のみで表す版図の歴史地図に関するものである。
【背景技術】
【０００２】
従来、版図の歴史地図は一つ又は複数の時点の版図が表示（例えば非特許文献１。）されている。国の存続期間を調べる時は、歴史地図とは別に国の存続期間の年表（例えば非特許文献２。）や、歴史の辞典（例えば非特許文献３。）で国の存続期間を調べる必要がある。
【０００３】
また、時間軸を含む考えの歴史地図は、複数の時点を重ねて表示する地図帳（例えば特許文献１参照。）、時間軸を含む多次元データの表示システム及びそのプログラム（例えば特許文献２参照。）、歴史の立体的表現方法（例えば特許文献３参照。）などが提案されている。
【先行技術文献】
【特許文献】
【０００４】
【特許文献１】特開２００８−２５６８０７
【特許文献２】特開２００６−３０１７１３
【特許文献３】特開平６−１３０８９２
【非特許文献】
【０００５】
【非特許文献１】鈴木成高（編）、守屋美都雄（編）、「詳密世界史地図  ２２訂版」、帝国書院、２０００年発行
【非特許文献２】亀井高孝（編）、林健太郎（編）、堀米庸三（編）、三上次男（編）、「世界史年表・地図」、吉川弘文館、２００６年４月１日発行、第２頁から第３頁
【非特許文献３】世界史小辞典編集委員会（編）、「山川  世界史小辞典」、山川出版社、２００４年１月２１日発行
【発明の概要】
【発明が解決しようとする課題】
【０００６】
国の版図の歴史を知りたい場合、歴史地図を見るのであるが一つ又は複数の時点の版図しか表示されておらず、表示されていない時点の版図を見ることが出来ない。
【０００７】
また、版図を表示した歴史地図の頁には通常各国の存続期間は表示されておらず、他に国の存続期間の年表や、歴史の辞典を見て存続期間を調べてから再度歴史地図を見るという作業の繰り返しが必要になり非常に煩雑であった。
版図の図の周辺に国の存続期間を記入した歴史地図もあるが、途中の版図の変化が分からない事が多い。
版図の途中変化の情報がある歴史地図もあるが、たいてい線や色などを変えて版図の期間を複数表示する形なので、同じ地図の中で版図の線や色が複数あることになってしまい非常に見づらく把握しづらかった。
【０００８】
また、通常歴史地図は版図だけでなく地図・地名・説明文・その他の情報が多く記載されていて、希望の版図だけを見たい場合だと簡潔明瞭で無い事も多い。
【０００９】
このような観点から従来技術を検討していくと、非特許文献１における「詳密世界史地図  ２２訂版」では、一つ又は複数の時点の版図しか表示されておらず、表示されていない時点の版図を見ることが出来ない。また、版図を表示した歴史地図の頁に存続期間が表示されていない国も多く、存続期間が表示されている国も版図の途中変化が同じ地図の中で無かったり、版図の途中変化が同じ地図の中で記載されている歴史地図があっても複数の線や色があるので見づらく把握しづらい。
【００１０】
非特許文献２における「世界史年表・地図」は、各国の存続期間が表示されて地域の変化の概略も反映されている。しかし、同じ頁では版図の具体的な形が分からないので、再度歴史地図を見る作業が必要で、特に、版図が変化した時点の歴史地図全てを探す作業は非常に煩雑である。
【００１１】
非特許文献３における「山川  世界史小辞典」は、国名で調べれば建国年と滅亡年が記載されている事も多く、歴代王朝図という年表も巻頭に表示されていて主だった国の存続期間はある程度分かる。しかし、１７世紀半ばと現代の版図だけしか記載されていないので、それ以外の時代は再度別の歴史地図を見る必要がある。
【００１２】
特許文献１における地図帳では、現代と所定の時代の同じ地点の地図を重ねて見られるものであるが、表示されていない時点の地図が見られない、また、街の地図であり国の版図だけを見たい場合のものではない。
【００１３】
特許文献２における時間軸を含む多次元データの表示システム及びそのプログラムは、町の地図をベースに棒グラフで災害の状態を複数の時点示すものであるが、データのある時点のみの表示であり、また、国の版図の形や変化を見られなく、国の版図の歴史だけを見る用途には難しい。
【００１４】
特許文献３における歴史の立体的表現方法は、地理的条件或いは地図をベースに時間経過に伴い歴史的時事、人物、分布等を点、線、色、必要があれば文字等で表現するものであるが、地図上でのデータ表示なので、地図を表示しないで版図だけを見る用途には難しい。また、物体の形による直感的な把握が難しく、透明シート・フィルム・板の四角形の物体に気を取られてしまう。
【００１５】
さらに、透明シート或いは板１枚を一定時間とし重ねる方法は、版図の変化が無い期間の作業が冗長になり、特に、表示する期間が長い場合は作業量が膨大になってしまう。また、透明シート或いは板は、枚数が多くなると重量が非常に重くなってしまうので下から見るのが難しい。透明フィルムの一辺を綴じ製本する方法は、綴じた側から見るのが難しい。そして、透明とはいえ枚数が多くなると中が暗くなって歴史情報が見づらくなってしまう。
【００１６】
本発明は、前述のように従来技術が有していた問題を解決しようとするものであり、特に版図と時間を交互に調べる作業の煩雑さの解決と、地図を表示しないで版図の造形物のみで見るという簡潔明瞭さと、物体的に歴史地図を把握するという方法の実現のために、版図の形状と時間を同時に観察することが可能な、造形物のみで表す版図の歴史地図を提供することを目的とする。
【課題を解決するための手段】
【００１７】
請求項１の発明の造形物のみで表す版図の歴史地図は、縦軸と横軸そして時間軸の合計３軸で表される造形物で、造形物の時間軸上の両端は版図の形の線又は面であり、各版図は版図の縦の位置に該当する縦軸上の位置と、版図の横の位置に該当する横軸上の位置と、版図の時間に該当する時間軸上の位置の合計３軸上の該当する位置に配置されて、時間軸上で隣り合う版図の形の線又は面の境界線を繋いで造形された造形物であり、造形物の縦軸上の両端のうち片方は期間中の版図の縦軸の最小値で、もう片方は期間中の版図の縦軸の最大値で、造形物の横軸上の両端のうち片方は期間中の版図の横軸の最小値で、もう片方は期間中の版図の横軸の最大値で、造形物の時間軸上の両端の版図のうち片方は期間のうち最初の時間の版図で、もう片方は期間のうち最後の時間の版図であり、造形物のみで版図の歴史を表現する。
【００１８】
造形物で版図と時間を表現するので、版図の形状と時間を同時に観察することができる。造形物自体が歴史地図なので、有形かつ加工できるものは造形物のみで表す版図の歴史地図にすることができる。国によって版図の形状・大きさ・存続期間も違うので、造形物のみで表す版図の歴史地図も国によって違う形状ができあがる。
【００１９】
造形物なので、手に持ってあらゆる角度から見ることができて、手に持たない場合でも何かに置いて観察し版図の歴史を学習する事ができる。
【００２０】
角度を見ることにより、版図の拡大縮小・変形・移動などの歴史解析をする事が出来る。
また、体積測定のための水没実験により、版図面積と存続期間による総支配量という観点から版図の歴史を比較できる。
さらに、風洞実験をすることにより流体力学による版図の歴史解析ができる。
さらにまた、落下実験により底面とのぶつかり方や転がり方を解析するという方法で版図の歴史解析ができる。
さらにまた、光を様々な角度から当てて射影を解析して版図の歴史解析ができる。
そして、切断する事により切断面を観察することで版図の歴史解析ができる
例として提示した実験に限らず、造形物のみで表す版図の歴史地図を素材にして数学・物理・化学・生物・その他の理系科目の計算や実験という理系的手法で版図の歴史解析ができる。
【００２１】
手に持ち触ることで版図の歴史を触覚によって認識することができる。
そして、触覚で版図の形状と存続期間を把握できるので、視覚障害者の版図の歴史教育を効率よく行うことができる。
【００２２】
請求項２の発明は、期間のうち最初の時間の版図と期間のうち最後の時間の版図以外の、期間中の版図が一つ又は複数ある造形物のみで表す版図の歴史地図である。
【００２３】
版図のデータが３つ以上になるので、より詳細な版図の歴史を見ることが出来る。
【００２４】
請求項３の発明は、期間のうち最初の時間は建国の時間で、又は、期間のうち最後の時間は滅亡の時間である。
【００２５】
その国の建国の時間、又は、滅亡の時間の表示なので、その国の最初の版図、又は、最後の版図を見ることが出来る。
【００２６】
請求項４の発明の、造形物のみで表す版図の歴史地図は、条約を締結した複数国についてである。
【００２７】
条約を締結した国の発効から失効までの流れを造形物で明確に把握できるので、効率よく地政学や世界史の解析ができる。
【００２８】
請求項５の発明の、造形物のみで表す版図の歴史地図は、世界史における複数国についてである。
【００２９】
世界史における各国の版図の出現順・地域・版図の大きさと形・存続期間が一目瞭然となり、世界史の主な流れを効率よく把握できる。また、見たい時点における世界各国の存続年数や版図の形を簡単に見ることが出来る。
【００３０】
３ＤＣＧソフトウェアで３Ｄデータを作成して３Ｄプリンタで造形物のみで表す版図の歴史地図を造形することもできる。３Ｄプリンタとは、３ＤＣＧデータを元に樹脂などで立体を造形する立体プリンタである。３Ｄプリンタの方式と使用する素材は様々であるが造形できればいいので方式と素材は問わない。
【発明の効果】
【００３１】
以上のように本発明によれば、造形物で版図と時間を表現するので、版図と時間を交互に調べる作業の煩雑さの解決と、地図を表示しないで版図の造形物のみで見るという簡潔明瞭さと、物体的に歴史地図を把握するという方法の実現のために、版図の形状と時間を同時に観察することが可能な、造形物のみで表す版図の歴史地図を提供することができる。
【００３２】
歴史地図や年表を使わずに版図の造形物のみで見るので、あらゆる角度から見ることができ、簡潔明瞭かつ集中して版図の歴史を把握できる。
また、造形物のみで表す版図の歴史地図を素材にして、数学・物理・化学・生物・その他の理系科目の計算や実験という理系的手法での版図の歴史解析が実現できる。
【００３３】
条約締結した複数国の版図の造形物を表すことにより地政学や歴史の解析ができる。
また、世界史で複数国の版図の造形物を表すと世界史の解析ができる。
そして、手に持って触覚で把握できるので、視覚障害者が版図の歴史学習を効率よく行うことができる。
【図面の簡単な説明】
【００３４】
【図１】実施例１の斜視図
【図２】実施例１の正面図
【図３】実施例１の平面図
【図４】角度を測定している正面図
【図５】水没実験の説明図
【図６】風洞実験の説明図
【図７】落下実験の説明図
【図８】射影実験の説明図
【図９】切断実験の説明図
【図１０】実施例２の斜視図
【図１１】切り開き実験の正面図
【図１２】実施例３の斜視図
【図１３】３DCGのモデリングの斜視図
【図１４】実施例４の斜視図
【図１５】製氷皿の斜視図
【図１６】実施例５の条約の斜視図
【図１７】実施例６の世界史の斜視図
【図１８】実施例７の斜視図
【発明を実施するための形態】
【００３５】
以下、本発明の実施の形態を実施例１〜実施例７、及び図１〜図１８に基づいて説明する。
【実施例１】
【００３６】
図１に示す実施例１は請求項１の発明に係るもので、発泡スチロールで造形物のみで表す版図の歴史地図３を制作した例の斜視図である。期間のうち最初の時間の版図１と期間のうち最後の時間の版図２を両端とし、各版図の境界線をつなぐ形で造形されている造形物による版図の歴史地図である。
図２は発泡スチロールにより造形物のみで表す版図の歴史地図３を制作した例の正面図である。図２の例では上下が時間軸で上から下へ時間が進んでいる方向になっており、時間軸の位置４は版図１、時間軸の位置５は版図２と、時間に対応する時間軸の位置に設定されている。
図３は発泡スチロールにより造形物のみで表す版図の歴史地図３を制作した例の平面図である。
図３の例では上下が縦軸で上から下に向かって縦軸値が増え、左右が横軸で左から右に向かって横軸値が増えるようになっており、版図２の縦軸の最小値３０がこの平面図で最も上に位置し、版図２の縦軸の最大値３１が最も下に位置し、版図２の横軸の最小値３２が最も左に位置し、版図２の横軸の最大値３３が最も右に位置している。
版図の位置は各版図とも同じ地点は縦軸上と横軸上では同じ位置になっている。
なお、縦軸値とは造形物作成時にデータとして参照する歴史地図の中での該当版図の縦軸の位置、横軸値とは造形物作成時にデータとして参照する歴史地図の中での該当版図の横軸の位置のことである。
例として図３の符号６は国の首都の位置を示しているが、平面図で見ると版図１と版図２の首都６は縦軸上と横軸上では同じ位置になる。これにより版図の変化があった部分についての造形物の形が変わるので版図変化の歴史が明確になる。
【００３７】
歴史地図は元になる資料が少なく得られる版図情報が限られている事が多い。期間中の得られる版図の数は国ごとに違うが、最低限でも二つの版図情報があれば造形物のみで表す版図の歴史地図は作成できる。一つの版図と存続期間が分かれば二つの版図と仮定する事も出来る。途中の版図情報が無くても地域史や各国史の文献などに版図について推定できる情報があればそれを参考にした途中の連結方法で各版図の形の線又は面の境界線を連結する。
文献などの情報も無い場合は、仮定の連結方法を決めて各版図の形の線又は面の境界線の間を連結する。
２点を連結する線のライン取りは無数にあるが、実施例１では時間と比例して版図も一定速度で変形したと仮定した場合で、各版図の形の線又は面の境界線同士を直線で連結して造形している。
この例の直線に限らず、仮定する内容により種々の連結方法が考えられる。
複数の造形物のみで表す版図の歴史地図を比較する場合は同じ連結方法による比較が望ましい。
【００３８】
建国と滅亡の間の時間は版図が存在していると推定し、建国時と滅亡時の版図情報があれば、その国の歴史全体の造形物のみで表す版図の歴史地図が制作できる。
版図や時間の情報が少ない国の版図に関しては、周辺国の版図や歴史情報も勘案し仮定した版図と連結方法で制作する。
【００３９】
造形物のみで表す版図の歴史地図で版図の形を見るときは版図の縦軸方向と横軸方向を見て、存続期間や時代による変化などの時間を見るときは時間軸方向を見る。
手に持って見たい角度やあらゆる角度から観察することができて、手に持たない場合でも何かに置くことによって観察することもできる。
手に持ち触ることで版図の歴史を触覚で感じることができる。
【００４０】
図４は造形物のみで表す版図の歴史地図３の版図の変化した角度７を測定する事により歴史解析をしている正面図である。版図の造形物の表面の変化した角度７を見ることにより、版図の拡大縮小や変形や移動などの歴史解析をする事が出来る。
【００４１】
図５は例として版図面積と存続期間を国の総支配量とみた場合の体積測定のための水没実験の説明図である。これにより版図が大きくてもすぐ滅亡した国と版図は小さいが長く存続した国の総支配量の比較など、版図面積と存続期間による総支配量という観点から各国の版図の歴史を解析できる。
【００４２】
図６は例として空気の流れを時間の流れに見なした場合の風洞実験の説明図である。煙の流れ１０を見て、気圧差の大きい部分は版図の拡大に偏りがあり其の歴史的背景を解析するとか、急に大きな版図が消えた後の部分は気流が乱れて後継者争いが起きているかなどの流体力学による歴史解析ができる。
【００４３】
図７は例として造形物のみで表す版図の歴史地図３の落下実験の説明図である。造形物のみで表す版図の歴史地図の落下実験による底面とのぶつかり方や転がり方を解析するという方法で版図の歴史解析ができる。
【００４４】
図８は例として造形物のみで表す版図の歴史地図３を光１１を当てて影を映す板１２に射影する事により、影１３の形で歴史解析をしている説明図である。様々な角度から光１１を当てたり造形物のみで表す版図の歴史地図を回転させたりして映る影１３を解析して射影による版図の歴史解析ができる。
【００４５】
図９は例として造形物のみで表す版図の歴史地図３を任意の角度と場所で切断し、切断面１４を観察することで歴史解析をしている説明図である。これにより、その時の地理だけでなく時間差も取り入れた歴史解析ができる。
【００４６】
国によって時間と版図の形状が違うので国ごとに造形物のみで表す版図の歴史地図の形状は異なり、また、同じ国でも期間の取り方が違うと形状が違うこともある。
【００４７】
歴史地図は、歴史を把握するために後世に作られるもので、実際の時代と作られる時代に時間差がかなりあり、資料も無いことが多い。また、国境警備兵がいて国境線が明確な近代国民国家の時代の前だと、明確な版図の線は本来書くことは出来ず、むしろ町と道路による点と線ぐらいでしか表現できないので真実の歴史地図でないという考えもある。
しかし、点と線で明確に世界史を描くための世界中の町と道路の資料も残っているものが少なく、しかも過去に戻れない以上は真実かどうか検証もできない。
歴史上には当時の技術的理由と政治的理由により真実でない資料も多いとされ、できれば同じ歴史項目に関して立場の違う複数の資料があることが望ましいが、それだけの現存資料が無い事が多い。それゆえ真実の歴史地図は存在しておらず、当時に戻れない以上は誰にも真実の歴史地図を作ることは出来ないとも言える。
【００４８】
歴史地図の目的は歴史の把握だと考えており、真実の歴史地図かどうかの詳細の検証も重要だが、歴史の概略の把握がしやすいかどうかが非常に重要であると考える。
本発明の目的は国の版図の形と存続期間を同時に見ることであり、さらに様々な国の造形物のみで表す版図の歴史地図を制作して縦軸と横軸と時間軸で関連付けすれば、国の存在した時代や地域や国の発生順といった世界史の主な流れを簡単に一望できるという効果もある。そして、近代国民国家の感覚の現代人が歴史地図で把握するには国境のある版図で見るというのが数少ない現実的な選択肢の一つだと考える。
【００４９】
条約を締結した複数の国を造形物のみで表す版図の歴史地図で表現することにより各勢力の変遷が見られ、造形物の観察という方法で地政学や世界史の分析ができる。
【００５０】
例として提示した実験に限らず、造形物のみで表す版図の歴史地図を素材にして数学・物理・化学・生物・その他の理系科目の計算や実験という理系的手法での歴史解析が実現できる。
【００５１】
手に持ち触れる事で版図の形状と存続期間を理解できるので、視覚障害者の版図の歴史教育を効率よく行うことができる。
【００５２】
なお、例で使用した発泡スチロールに限らず、加工する事ができて形を保持する素材であれば同様の効果が得られる。
【実施例２】
【００５３】
図１０に示す実施例２は請求項２の発明に係るもので、資料の版図が４つの場合のワイヤ１５とビニールテープ１６で造形物のみで表す版図の歴史地図を制作した例の斜視図である。
ワイヤによって造形された版図の時間軸の位置と、版図の縦軸と横軸の2次元上の位置は実施例１と同様の方法で配置され、各版図間がワイヤで固定されている。各版図の間をビニールテープ１６が張られて全体で造形物になっている。
【００５４】
図１１は、例として図１０の造形物のみで表す版図の歴史地図を十字に切り開いた正面図であり、開き方を見て版図の歴史解析することができる。複数の造形物のみで表す版図の歴史地図の比較を行う場合は同じ切り開き方が望ましい。
【００５５】
この例のビニールテープに限らずワイヤに沿わせて形を保持し造形物を作れる素材なら同様の効果が得られる。
透明性のある素材の場合は中に光源を入れることで照明にすることもでき照明の機能に加え歴史の学習もできる。
【実施例３】
【００５６】
図１２に示す実施例３は請求項３の発明に係るもので、建国から滅亡までを３ＤＣＧと３Ｄプリンタによって造形物のみで表す版図の歴史地図を制作した例である。
図１３は３ＤＣＧモデリングソフトウェア上で制作された造形物のみで表す版図の歴史地図の３Ｄデータの斜視図であり、ポリゴン１９によって４つの版図が連結されてかたまりが造形されている。実施例１の図３と同様に版図は同じ地点は版図の縦軸と横軸の２次元上で同じ位置になっている。
この３Ｄデータを３Ｄプリンタで出力すると、図１２の建国時の版図１７から滅亡時の版図１８までの造形物のみで表す版図の歴史地図３が造形される。
【実施例４】
【００５７】
図１４に示す実施例４は請求項２の発明に係るもので、氷による造形物のみで表す版図の歴史地図２０で、図１５の３ＤＣＧモデリングソフトウェアと３Ｄプリンタによって作成した製氷皿２１によって作られた例である。
製氷皿２１は造形物のみで表す版図の歴史地図をもとに３ＤＣＧモデリングソフトウェア上で３Ｄデータとしてモデリングされ３Ｄプリンタで造形される。この氷により氷の機能を使用しながら版図の歴史の学習をすることができる。
複雑な造形物のみで表す版図の歴史地図の形の場合は、３Ｄモデリング次第で２つの製氷皿の組合せにより作成することもできる。
それ以外にも、製氷皿の型を使って、造形できるタイプの消しゴムで消しゴムを素材とした造形物のみで表す版図の歴史地図を制作することができる。この場合、消しゴムの機能に加えて版図の歴史の学習もできる。また同様に製氷皿の型を使って、造形できるタイプのスーパーボールを素材とした造形物のみで表す版図の歴史地図を制作することができ、遊びながら歴史の学習ができ、飛び跳ねる動きを観察することで版図の歴史解析ができる。また例えば、製氷皿の型でエポキシ樹脂を造形するとほぼ透明な造形物のみで表す版図の歴史地図が出来るので、光を当てて光の変化などを見て光学的な版図の歴史解析ができる。
それ以外にも、加工できて形を保持する他の素材を造形物のみで表す版図の歴史地図の形に加工することで同様の効果を得ることができ、各素材の機能に加えて版図の歴史を学び解析する事が出来る。
【実施例５】
【００５８】
図１６は請求項４の発明に係るもので、例として条約を締結した２カ国を造形物のみで表す版図の歴史地図で表現したものである。条約発効の時間２２から条約失効の時間２３の時間までを表現している。板を支える柱２５に年が表記してあり、さらに条約の期間が分かるように柱に線が引かれている。造形物のみで表す版図の歴史地図３の表面にはそれぞれの国名が表記してあり、地図を表示した透明性のある板２４には条約名が表記してあり何の条約かが分かるようになっている。
この例により条約を締結した複数の国の発効から失効までの流れを造形物で明確に把握できて造形物による地政学や世界史の解析ができる。
【実施例６】
【００５９】
図１７は請求項５の発明に係るもので、例として世界史を表現したものである。
各国の造形物のみで表す版図の歴史地図３は各国の該当する版図の縦軸と横軸の２次元と時間軸の合わせて３次元上の位置に配置し固定されている。具体的には地図を表示した透明性のある板２４の四隅に板を支える柱２５があり、地図を表示した透明性のある板２４から糸２６が下がっており、各国の造形物のみで表す版図の歴史地図３が地図上の場所に該当する縦軸と横軸の位置と時代に該当する時間軸の位置に配置され固定されている。
板を支える柱２５には年が表記してある。各国の造形物のみで表す版図の歴史地図３にはそれぞれの国名・建国年・滅亡年・戦争年・歴史事件が表記してある。
各国とも建国から滅亡まで表示されていて、各国区別できるように隣の国が同じ色にならないように色分けする。各国とも回転しないように造形物は３本の糸で支えている。なお、糸２６の代わりに棒などの造形物を固定できる物なら同様の効果がある。
各国の造形物のみで表す版図の歴史地図３は、透明性のある素材を使用すると、各国が入り組んでいる部分や別の国に隠れている国なども見えるので、より歴史を把握する効果が高くなる。
この例により各国の出現の順番や地域、各国の版図の大きさや形の違い、各国の存続期間の違いが一目瞭然となり、世界史の主な流れを効率よく把握できる。また、見たい時点での世界各国の存続年数や版図の形を簡単に見ることが出来る。
【実施例７】
【００６０】
図１８は請求項３の発明に係るもので、発泡スチロールで制作された造形物のみで表す版図の歴史地図３に、さらに歴史情報として首都に時間軸も加味した首都１の重りの棒２７を重りとして、戦争地の重り２９は戦争のあった場所に丸い重りを付けた例である。遷都した首都２の重りの棒２８も該当する縦軸と横軸と時間軸の場所に埋め込み、造形物のみで表す版図の歴史地図３を転がすことで首都と戦争地の影響を加味した転がる動きによる歴史解析ができる。また、通商路で時間軸も加味した板状の重りを埋めることで通商路の影響も歴史解析できる。その場合の板状の重りは、その通商路が使用された期間の時間軸の幅とする。
また、繁栄した平野に重りの棒を埋め込み、あまり使われない山脈などの地域は素材に穴を開けて軽くすると、地形や交易の違いを加味した転がる動きによる版図の歴史解析ができる。
【符号の説明】
【００６１】
１  期間のうちの最初の時間の版図
２  期間のうちの最後の時間の版図
３  造形物のみで表す版図の歴史地図
４  期間のうち最初の時間の版図に該当する時間軸上の位置
５  期間のうち最後の時間の版図に該当する時間軸上の位置
６  首都
７  版図の変化した角度
８  計量できる容器
９  水
１０  煙の流れ
１１  光源
１２  影を映す板
１３  影
１４  切断面
１５  ワイヤ
１６  ビニールテープ
１７  建国時の版図
１８  滅亡時の版図
１９  ポリゴン
２０  氷による造形物のみで表す版図の歴史地図
２１  製氷皿
２２  条約発効の時間
２３  条約失効の時間
２４  地図を表示した透明性のある板
２５  板を支える柱
２６  糸
２７  首都１の重りの棒
２８  首都２の重りの棒
２９  戦争地の重り
３０  版図２の縦軸の最小値  
３１  版図２の縦軸の最大値
３２  版図２の横軸の最小値
３３  版図２の横軸の最大値
【図１】
2014038296.tif 000003
【図２】
2014038296.tif 000004
【図３】
2014038296.tif 000005
【図４】
2014038296.tif 000006
【図５】
2014038296.tif 000007
【図６】
2014038296.tif 000008
【図７】
2014038296.tif 000009
【図８】
2014038296.tif 000010
【図９】
2014038296.tif 000011
【図１０】
2014038296.tif 000012
【図１１】
2014038296.tif 000013
【図１２】
2014038296.tif 000014
【図１３】
2014038296.tif 000015
【図１４】
2014038296.tif 000016
【図１５】
2014038296.tif 000017
【図１６】
2014038296.tif 000018
【図１７】
2014038296.tif 000019
【図１８】
2014038296.tif 000020